(57)【要約】【課題】中間色を表示するために表示部に複数のＬＥＤモジュールを配設した際に、それぞれの制御系を別系統で構成すると、部品点数の増加・プログラムモジュールの容量増大を招き、製品原価のいたずらな高騰を招く一因となった。【解決手段】各ＬＥＤモジュールの異なる発光色の発光体の制御端子をあるスイッチに接続し、各ＬＥＤモジュールの異なる色を同一のスイッチで制御することで、各ＬＥＤモジュールごとに発行色の切り替え用スイッチを用意する必要なく中間色の表示を可能にする制御系統を提供する。【選択図】　　　図１
2004126459.tif 000002
【特許請求の範囲】
【請求項１】
制御部と２以上の発光素子群と３つのスイッチを含むランプ点灯表示装置であって、
各発行素子は３原色を表す発光色を発光する発光体とそれぞれの発光体の発光を制御する制御端子を含み、
前記スイッチは各発光素子のいずれかの制御端子と接続することを特徴とするランプ点灯表示装置。
【請求項２】
前記スイッチの一に接続される前記発光素子群の制御端子と他の前記発光素子群の制御端子とが異なる発光色の前記発光体を制御するものであることを特徴とする請求項１記載のランプ点灯表示装置。
【請求項３】
前記スイッチの一に接続される前記発光素子群の制御端子と他の前記発光素子群の制御端子とが同じ発光色の前記発光体を制御するものであることを特徴とする請求項１記載のランプ点灯表示装置。
【請求項４】
前記３原色を表す発光色がそれぞれ、青、緑、赤であることを特徴とする請求項１ないし３記載のランプ点灯表示装置。
【請求項５】
前記３原色を表す発光色がそれぞれ、シアン、マゼンタ、黄色であることを特徴とする請求項１ないし３記載のランプ点灯表示装置。
【発明の詳細な説明】
【０００１】
【発明の属する技術分野】
本発明は携帯情報端末装置に適用されるランプ装置点灯表示に関する。
【０００２】
【従来の技術】
携帯情報端末装置は可搬性を考慮して、本体に電池を内蔵し、電子回路が必要とする動作電力を供給する電池駆動型の電子通信機器であり、携帯電話装置、ＰＤＡ（パーソナルデジタルアシスタント）、携帯用ＧＰＳ（グローバルポジショニングシステム）端末、携帯ゲーム機などが含まれる。
【０００３】
従来の携帯情報端末装置では、携帯情報端末装置表面に設けられた導光体を介して基板上のＬＥＤ（ライトエミッティッドダイオード）を発行させることで、携帯情報端末装置の状態の変化（携帯電話装置における着呼やメール受信）を操作者に表示するが、この際、発光色の異なる複数のＬＥＤを用意することで導光体から発せられる光の発行色を２以上にし、発光色に割り当てられた意味や発光色の変化操作者の注意を喚起することは一般的である。また、液晶ディスプレイのバックライトに用いることで、バックライトを複数色に切りかえることもなされている。
【０００４】
この機能を実現するに際して、図７のような回路を取ることが一般的である。
【０００５】
ＬＥＤモジュール１０５及びＬＥＤモジュール１０６は発光部であり、それぞれ赤色、緑色、青色のＬＥＤから構成される。
【０００６】
ＬＥＤモジュールを制御する制御部１０１とＬＥＤモジュール１０５との間は赤色ＬＥＤを制御するＳＷ１部１０２、緑色ＬＥＤを制御するＳＷ２部１０３及び青色ＬＥＤを制御するＳＷ３部１０４を介して三系統で接続され、各ＳＷ部をＯＮまたはＯＦＦすることでＬＥＤモジュール内の各ＬＥＤを制御するよう構成される。同様に制御部１０１とＬＥＤモジュール１０６との間は赤色ＬＥＤを制御するＳＷ４部２０１及び緑色ＬＥＤを制御するＳＷ５部２０２及び青色ＬＥＤを制御するＳＷ６部２０３を介して三系統で接続される。なおＬＥＤを発光させる為に抵抗素子を各ＳＷ部とＬＥＤモジュールとの間に介している（抵抗１０７、抵抗１０８、抵抗１０９、抵抗１１０、抵抗１１１、抵抗１１２）。
【０００７】
この構成を取ることで、３色の光が組み合わせて混色を容易に作り出すことができる。
【０００８】
【特許文献】
特開平０４−０１５６８５号公報
特開２００１−２９２２０１号公報
【０００９】
【発明が解決しようとする課題】
しかし、この構成においては、制御部１０１の制御出力が、ＬＥＤモジュール２系統の制御用として、ＬＥＤモジュール１０５用に３本、ＬＥＤモジュール１０６用に３本で、合計６本必要であり、導光体が増える毎に部品点数が比例して増加する問題点があった。また、動作に際しては増加した各ＳＷ部を制御する必要がありプログラムサイズの面で不利があった。
【００１０】
本発明は上記課題を考慮してなされたものであり、携帯電話または電子機器に用いられる複数色の発光素子で点灯する着信ランプ表示を２系統以上点灯する場合に、制御信号出力の系統数の増加なしに、２系統を異なる色でランプを点灯できるようにしたことにある。
【００１１】
【課題を解決するための手段】
本発明におけるランプ点灯表示装置では制御部と２以上の発光素子群と３つのスイッチを含むランプ点灯表示装置であって、各発行素子は３原色を表す発光色を発光する発光体とそれぞれの発光体の発光を制御する制御端子を含み、前記スイッチは各発光素子のいずれかの制御端子と接続することを特徴とする。
【００１２】
また本発明では、前記スイッチの一に接続される前記発光素子群の制御端子と他の前記発光素子群の制御端子とが異なる発光色の前記発光体を制御するものであることとした。
【００１３】
また本発明では、前記スイッチの一に接続される前記発光素子群の制御端子と他の前記発光素子群の制御端子とが同じ発光色の前記発光体を制御するものであることとした。
【００１４】
また本発明では前記３原色を表す発光色がそれぞれ、青、緑、赤であることもしくはシアン、マゼンタ、黄色であることを特徴とした。
【００１５】
【発明の実施の形態】
本発明の実施の形態について図面を参照して詳細に説明する。
【００１６】
図１は本発明に係る携帯電話装置の電気的構成を表す回路図であり、図２はＬＥＤモジュール１０５及びＬＥＤモジュール１０６の発光色の変化を表す表である。
【００１７】
まず、図１を用いて本実施の形態の構成について説明する。
【００１８】
本実施例におけるランプ点灯表示装置は制御部１０１、ＳＷ１部１０２、ＳＷ２部１０３、ＳＷ３部１０４、ＬＥＤモジュール１０５、ＬＥＤモジュール１０６、抵抗１０７、抵抗１０８、抵抗１０９、抵抗１１０、抵抗１１１、抵抗１１２から構成される。
【００１９】
制御部１０１はＳＷ１部１０２及びＳＷ２部１０３及びＳＷ３部１０４をＯＮまたはＯＦＦ制御するよう構成することでＬＥＤモジュール１０５及びＬＥＤモジュール１０６の制御を行う。
【００２０】
ＳＷ１部１０２、ＳＷ２部１０３、ＳＷ３部１０４をＯｎすると対応するＬＥＤモジュールの色が発光し、Ｏｆｆにすると消灯する。
【００２１】
ＬＥＤモジュール１０５及びＬＥＤモジュール１０６は従来例のＬＥＤモジュールと同様に赤色ＬＥＤ、青色ＬＥＤ及び緑色ＬＥＤから構成されている。
【００２２】
本発明においては、ＬＥＤモジュール１０５のＲＧＢ各発光素子への結線とＬＥＤモジュール１０６のＲＧＢ各発光素子への結線とを異なる接続とすることにより、ＬＥＤモジュール１０５とＬＥＤモジュール１０６のＲＧＢ発光素子の２系統を異なる色でランプを点灯するよう構成される。即ち、ＳＷ１部１０２は抵抗１０７を介してＬＥＤモジュール１０５の赤色ＬＥＤを点灯し、抵抗１１２を介してＬＥＤモジュール１０６の青色ＬＥＤを点灯するよう構成される。ＳＷ２部１０３は抵抗１０８を介してＬＥＤモジュール１０５の緑色ＬＥＤを点灯し、抵抗１１０を介してＬＥＤモジュール１０６の赤色ＬＥＤを点灯するよう構成される。ＳＷ３部１０４は抵抗１０９を介してＬＥＤモジュール１０５の青色ＬＥＤを点灯し、抵抗１１１を介してＬＥＤモジュール１０６の緑色ＬＥＤを点灯するよう構成される。
【００２３】
次に図２を用いて、上記構成を取った際のＬＥＤモジュール１０５及びＬＥＤモジュール１０６の発光パターンについて説明する。
【００２４】
上記構成を取った際には、ＬＥＤモジュール１０５においてはＳＷ１部１０２と赤色ＬＥＤ、ＳＷ２部１０３と緑色ＬＥＤ、ＳＷ３と青色ＬＥＤがそれぞれ結線されており、ＲＧＢの各発光素子のＯＮ／ＯＦＦ状態の組み合わせに従い、ランプは単色または混合色で点灯する。即ち、ＳＷ１部１０２のみをＯＮにすると赤色ＬＥＤが、ＳＷ２部１０３のみをＯＮにすると緑色ＬＥＤが、ＳＷ３部１０４のみをＯＮにすると青色ＬＥＤのみがそれぞれ点灯する。更に複数のＳＷ部をＯＮにする場合も考えられる。ＳＷ１部１０２とＳＷ２部１０３とをＯＮにすると赤色ＬＥＤと緑色ＬＥＤが点灯しＬＥＤモジュール１０５全体としてみれば黄色に発光する。ＳＷ２部１０３とＳＷ３部１０４をＯＮにすると緑色ＬＥＤと青色ＬＥＤが点灯することでＬＥＤモジュール１０５全体としてみれば水色（シアン）で発光し、ＳＷ１部１０２とＳＷ３部１０４をＯｎにすると赤色ＬＥＤと青色ＬＥＤが点灯しＬＥＤモジュール１０５全体としてみれば紫色（マゼンタ）で発光する。全てのＳＷ部をＯＮにするとＬＥＤモジュール１０５全体としてみれば白色で発光する。
【００２５】
ＬＥＤモジュール１０６においても同様であるが、ＳＷ１部１０２と青色ＬＥＤ、ＳＷ２部１０３と赤色ＬＥＤ、ＳＷ３部１０４と緑色ＬＥＤがそれぞれ結線されている点でＬＥＤモジュール１０５とは相違する。掛かる相違によりＬＥＤモジュール１０６において、ＳＷ１部１０２をＯＮにすると青色ＬＥＤ、ＳＷ２部１０３をＯＮにすると赤色ＬＥＤ、ＳＷ３部１０４をＯＮにすると緑色が点灯する。またＳＷ１部１０２とＳＷ２部１０３とをＯＮにするとＬＥＤモジュール１０６は紫色（マゼンタ）に、ＳＷ２部１０３とＳＷ３部１０４をＯＮにすると黄色に、ＳＷ２部１０３とＳＷ３部１０４をＯＮにすると水色（シアン）で発光する。さらに全てのＳＷ部をＯＮにすると白色で発光する。
【００２６】
なお、ＬＥＤモジュール１０５とＬＥＤモジュール１０６は異なる開口部、導光体を通して外部に発光させても、同じ開口部、導光体を通して外部に発光させても良い。またＬＥＤモジュールは一つとは制限せず、複数であっても良い。同じ開口部、導光体を通して外部に発光させる例としては、液晶ディスプレイのバックライトに用いる場合などが考えられる。以下に上記実施例を液晶ディスプレイのバックライトに用いた場合について図３及び図４を使って説明する。
【００２７】
図３は複数のＬＥＤモジュール１０５とＬＥＤモジュール１０６を平面的に配設したバックライトの例を記載した図である。縦一列若しくは横一列に同じモジュールを配すると発光色の違いによってムラが生じる為、ＬＥＤモジュール１０５とＬＥＤモジュール１０６は互い違いに配設するのが好ましい。
【００２８】
図４は、図３に記載したバックライトの各ＳＷ部を切り替えた際の発光色の変化を表す表である。
【００２９】
ＳＷ１部１０２のみをＯＮにするとＬＥＤモジュール１０５は赤色に発光し、ＬＥＤモジュール１０６は青色に発光する。したがって混食されることでバックライと自体は紫に発行する。ＳＷ２部１０３のみをＯＮにしても同様で、ＬＥＤモジュール１０５及びＬＥＤモジュール１０６はそれぞれ緑色、赤色に発光し、結果バックライトは黄色に発光する。ＳＷ３部１０４のみをＯＮにするとＬＥＤモジュール１０５及びＬＥＤモジュール１０６はそれぞれ青色、緑色に発光し、結果バックライトは水色に発光する。
【００３０】
ＳＷ部を２個以上ＯＮにした時も同様である。ＳＷ１部１０２とＳＷ２部１０３をＯＮにすると、ＬＥＤモジュール１０５及びＬＥＤモジュール１０６はそれぞれ黄色、紫に発光する。結果、バックライト自体は黄色と紫の混色で赤色に発光する。ＳＷ１部１０２とＳＷ３部１０４を同時にＯＮした場合には、ＬＥＤモジュール１０５及びＬＥＤモジュール１０６はそれぞれ紫と水色に発光し、結果バックライト自体は青色に光る。また、ＳＷ２部１０３とＳＷ３部１０４を同時にＯＮした場合には、ＬＥＤモジュール１０５及びＬＥＤモジュール１０６はそれぞれ水色と黄色に発光し、結果バックライト自体は緑色に発行する。
【００３１】
以上のようにＬＥＤモジュール１０５とＬＥＤモジュール１０６という別系統の発光部品を持つ場合であっても制御系の系統数の増加を伴うことなく混色の表現を行うことが可能となる。
【００３２】
本発明においては、各ＳＷ部にＬＥＤモジュール１０５及びＬＥＤモジュール１０６の何色のＬＥＤと接続するかによって、効果が相違する。次に図５及び図６を用いて、この接続が異なる別の実施例について説明する。
【００３３】
図５はＳＷ部の結線を変更した際の別の実施例を表す回路図である。ＳＷ１部１０２は各ＬＥＤモジュールの赤色ＬＥＤと接続されている。ＳＷ２部１０３はＬＥＤモジュール１０５の緑色ＬＥＤとＬＥＤモジュール１０６の青色ＬＥＤと結線されている。ＳＷ３部１０４は青色ＬＥＤと赤色ＬＥＤと結線されている。
【００３４】
図６は各ＳＷ部をＯＮ／ＯＦＦした場合のＬＥＤモジュール１０５とＬＥＤモジュール１０６の変化を表す表である。
【００３５】
ＳＷ１部１０２をＯＮするとＬＥＤモジュール１０５及びＬＥＤモジュール１０６双方とも赤色に発光する。ＳＷ２部１０３をＯＮするとＬＥＤモジュール１０５は緑色ＬＥＤが点灯し、ＬＥＤモジュールは青色ＬＥＤが点灯する。ＳＷ３部１０４をＯＮにすると、ＳＷ２部１０３の場合と逆にＬＥＤモジュール１０５は青色ＬＥＤが点灯し、ＬＥＤモジュールは緑色ＬＥＤが点灯させることが可能となる。
【００３６】
【発明の効果】
以上に記載した通り、制御信号出力の系統数の増加なく１系統の出力により、異なる発光素子の各ＲＧＢの２系統を、異なる色でランプを点灯することが可能となり装置の原価を低減できると言う効果を奏す。
【図面の簡単な説明】
【図１】本発明に係るランプ点灯表示装置の第１の実施形態の電気的接続状態を示す回路図である。
【図２】本発明に係るランプ点灯表示装置の第１の実施形態における第１のＬＥＤモジュールと第２のＬＥＤモジュールとの発光色の変化を表す表である。
【図３】本発明に係るランプ点灯表示装置の第１の実施形態を適用したバックライトのＬＥＤモジュールの配設状況をあらわす平面図である。
【図４】本発明に係るランプ点灯表示装置の第１の実施形態を適用したバックライトの発光色の変化を表す表である。
【図５】本発明に係るランプ点灯表示装置の第２の実施形態の電気的接続状態を示す回路図である。
【図６】本発明に係るランプ点灯表示装置の第２の実施形態における第１のＬＥＤモジュールと第２のＬＥＤモジュールとの発光色の変化を表す表である。
【図７】従来のランプ点灯表示装置の電気的接続状態を示す回路図である。
【符号の説明】
１０１　制御部
１０２　ＳＷ１部
１０３　ＳＷ２部
１０４　ＳＷ３部
１０５　ＬＥＤモジュール
１０６　ＬＥＤモジュール
１０７　抵抗
１０８　抵抗
１０９　抵抗
１１０　抵抗
１１１　抵抗
１１２　抵抗
【図１】
2004126459.tif 000003
【図２】
2004126459.tif 000004
【図３】
2004126459.tif 000005
【図４】
2004126459.tif 000006
【図５】
2004126459.tif 000007
【図６】
2004126459.tif 000008
【図７】
2004126459.tif 000009